【事件の表示】
　特許第６２０５１１９号発明「２系統光学系を有する距離方向自動測定装置」の特許異議申立事件について、次のとおり決定する。
【結　論】
　特許第６２０５１１９号の請求項１ないし７に係る特許を維持する。
【理　由】
第１　手続の経緯
　特許第６２０５１１９号（以下、「本件特許」という。）の請求項１ないし７に係る特許についての出願は、平成２４年１１月１３日に特許出願され、平成２９年９月８日に特許権の設定登録がされ、その特許に対して、平成３０年３月２６日に特許異議申立人所智恵子により特許異議の申立てがなされたものである。
第２　本件特許発明
　本件特許の請求項１−７の特許に係る発明（以下、「本件特許発明１」−「本件特許発明７」という。）は、それぞれ、その特許請求の範囲の請求項１−７に記載された事項により特定される以下のとおりのものである。
「【請求項１】
測定基準点に設置した測定装置によって、測定対象物の映像を操作者が視認し、測定目標点を選定し、その方向と距離とを測定する自動測定装置において、
測定対象物の映像は対物レンズによる画像センサ上への結像で得たものをディスプレイ上に表示すること、
距離測定機構は対物レンズの光軸に沿って設けたレーザ光線の発・受光機構によること、の２系統以上の光学系を有し、
対物レンズの前面側に光軸折り曲げ用４５度反射鏡を有する回転ミラー部を設けること、
これにより両光軸を鉛直面内に回転可能とすること、
この回転による画像センサ上に結像する測定対象物の映像の回転を、当該映像を表示するディスプレイ機構上では当該回転分を逆回転して表示する正立表示ソフトを有すること、
の各条件を満たす測定装置であって、回転ミラー部以外の光学系を水平回転ベースに固定的に設置することにより、レーザ光線の発・受光機構を含む複数の光学系操作機構とその制御・処理用の電気・電子回路との接続を固定的に構成可能とすることを特徴とする２系統光学系を有する距離方向自動測定装置。
　　【請求項２】
測定基準点に設置した測定装置によって、測定対象物の映像を操作者が視認し、測定目標点を選定し、その方向と距離とを測定する自動測定装置において、
測定対象物の映像は対物レンズによる画像センサ上への結像で得たものをディスプレイ上に表示すること、
距離測定機構は対物レンズの光軸に沿って設けたレーザ光線の発・受光機構によることの２系統以上の光学系を有し、
対物レンズとその背面側に配置した光軸折り曲げ用４５度反射鏡とを有する回転ミラー部を設けること、
これにより両光軸を鉛直面内に回転可能とすること、
この回転による対物レンズが画像センサ上に結像する測定対象物の映像の回転を、当該映像を表示するディスプレイ機構上では当該回転分を逆回転して表示する正立表示ソフトを有すること、
の各条件を満たす測定装置であって、
対物レンズを含む回転ミラー部以外の光学系を水平回転ベースに固定的に設置することにより、レーザ光線の発・受光機構を含む複数の光学系操作機構とその制御・処理用の電気・電子回路との接続を固定的に構成可能とすることを特徴とする２系統光学系を有する距離方向自動測定装置。
　　【請求項３】
対物レンズを焦点距離可変範囲の充分大きいズームレンズとし、その結像部以降の光学系を水平回転ベースに固定的に設置することを特徴とする請求項１又は２記載の２系統光学系を有する距離方向自動測定装置。
　　【請求項４】
対物レンズ光学系の光軸中心とレーザ光線の光軸との方向に誤差を含むこと、及び／または、回転ミラー部の機構的な回転軸と、回転された両光軸との直交性に誤差を含むこと、を前提として、回転ミラー部の鉛直面内の各回転位置に於いて、誤差内容を「標準誤差要素」として記録するとともに、個々の製品の制御回路の記録素子に記録して組み込み、実用時には記録した「標準誤差要素」の誤差内容に基づく位置修正・角度修正を自動的に行うことにより、ディスプレイ上の表示も、測定対象物上の実在の目標点に対するレーザ光照射も、すべて正しい状態を保つことを特徴とする請求項１乃至３の何れかに記載の２系統光学系を有する距離方向自動測定装置。
　　【請求項５】
前記回転ミラー部は光軸を、真下を超えて回転することを可能とし、本体下方に設置した位置基準ターゲットをディスプレイ上に表示できるようにして測定基準点の設定を容易にしたことを特徴とする請求項１乃至４の何れかに記載の２系統光学系を有する距離方向自動測定装置。
　　【請求項６】
水平回転ベースには、水平回転軸または水平回転軸受を設けて、本体すなわち固定ベースの回転軸受または回転軸と係合して固定ベースに対する水平回転を可能とし、当該回転軸を中空とすることで、回転ミラー部の回転により光軸を鉛直下向きにした場合、本体下方に設置した位置基準ターゲットをディスプレイ上に表示できるようにして測定光軸の水平回転基準点の設定を容易にしたことを特徴とする請求項１乃至５の何れかに記載の２系統光学系を有する距離方向自動測定装置。
　　【請求項７】
前記回転ミラー部は光軸を真上を超えて回転することを可能とし、本体設置部の真上の、または真上を超えた場所の目標対象物をディスプレイ上で視認選定可能とすることを特徴とする請求項１乃至６の何れかに記載の２系統光学系を有する距離方向自動測定装置。」
第３　申立理由の概要
理由１　特許異議申立人は、本件特許発明１−７は、特許法第３６条第６項第２号に規定する要件を満たさないので、同法第１１３条第４号により取り消されるべきである旨主張している。
理由２　特許異議申立人は、主たる証拠として甲第１号証及び従たる証拠として甲第２号証−甲第１４号証を提出し、請求項１−７に係る特許は第２９条第２項の規定に違反してなされたものであるため、同法第１１３条第２号により取り消されるべきである旨主張している。
＜証拠方法＞
甲第１号証：米国特許出願公開第２０１２／００３３０６９号明細書
甲第２号証：特開２００８−７６３０３号公報
甲第３号証：特開２００６−３１１９号公報
甲第４号証：特開２００４−３７１２７号公報
甲第５号証：特開平１１−４３７３号公報
甲第６号証：特開２００１−５７６４１号公報
甲第７号証：特開平１０−１３６２３７号公報
甲第８号証：特開２００１−２５５１４４号公報
甲第９号証：特開２００１−１２８０３８号公報
甲第１０号証：特開２０１２−１１２８９６号公報
甲第１１号証：特開２００８−３２７０１号公報
甲第１２号証：特開２０００−２７５０４２号公報
甲第１３号証：特開２００２−９８５３１号公報
甲第１４号証：特許第３８０３１８８号公報
第４　理由１（第３６条第６項第２号）について
１　本件特許発明１について
　異議申立人は、異議申立書において、
「【請求項１】
・・・
Ｂ　測定対象物の映像は対物レンズによる画像センサ上への結像で得たものをディスプレイ上に表示すること、
Ｃ　距離測定機構は対物レンズの光軸に沿って設けたレーザ光線の発・受光機構によること、の２系統以上の光学系を有し、
Ｄ　対物レンズの前面側に光軸折り曲げ用４５度反射鏡を有する回転ミラー部を設けること、これにより両光軸を鉛直面内に回転可能とすること、
・・・」（異議申立書第１１頁第１３行−第１２頁第３行）と、請求項１を構成要件毎に分節し、
「（１）　請求項１の構成要件Ｂ〜Ｄには、それぞれ「対物レンズ」という発明特定事項が存在するところ、これらの「対物レンズ」が共通する一つの対物レンズとして特定される場合、構成要件Ｃ及びＤにおける「対物レンズ」は、「前記対物レンズ」と記載する必要があるが、単に「対物レンズ」と記載されているものである。
　したがって、請求項１を文言どおりに解釈すれば、構成要件Ｂの画像センサ上への結像に用いる「対物レンズ」と、構成要件Ｃの距離測定機構にある「対物レンズ」とが、共通する一つの対物レンズであっても、それぞれ異なる対物レンズであっても、そのいずれでもよいと解釈される。
（２）・・・
　一方、本件特許明細書における発明の実施形態又は実施例として記載された測定装置は、いずれも共通する一つの対物レンズを有する測定装置とされており、異なる対物レンズである場合が記載されていない。そうすると、サポート要件を充足しているというのであれば、かかる明細書の記載を参酌すると、前記「対物レンズ」とは、共通する一つの対物レンズであると解釈されるべきこととなるが、他方、前記のとおり、請求項の文言上は、構成要件Ｃ及びＤにおける「対物レンズ」には、異なる対物レンズである場合が包含されると解釈され得る。
　したがって、請求項１の記載は、構成要件Ｃ及びＤにおける「対物レンズ」について、当業者が具体的な物が請求項に係る発明の範囲に入るか否かを理解できる程度に明確に記載されておらず、特許を受けようとする発明を不明確にするものであり、明らかに特許法第３６条６項２号（明確性要件）に違反する。」（異議申立書第１４頁第５行−第１５頁第３行）と主張している。
　そこで、検討すると、請求項１の構成要件Ｂ〜Ｄには、それぞれ「対物レンズ」という記載があり、当該「対物レンズ」は、共通する一つの対物レンズであるか、複数の異なる対物レンズであるのか解釈の余地があるように捉えられるが、
　請求項１の上記構成要件Ｂ〜Ｄの記載及び他の構成要件の記載を精査しても、請求項１には「対物レンズ」が複数であることの記載又は示唆はないことから、請求項１に記載された「対物レンズ」は、共通する一つの対物レンズであると解釈される。
　また、明細書及び図面の記載を参酌しても、発明の実施形態又は実施例として記載された測定装置は、いずれも共通する一つの対物レンズを有する測定装置であり、請求項１に記載された「対物レンズ」を、共通する一つの対物レンズであると解釈することとの間に矛盾はない。
　したがって、請求項１に記載された「対物レンズ」は、共通する一つの対物レンズであり、請求項１の記載は明確である。
　したがって、本件特許発明１は、明確である。
　よって、異議申立人の主張は採用できない。
２　本件特許発明２について
　請求項１と同じ理由により、請求項２に記載された「対物レンズ」は、共通する一つの対物レンズであり、請求項２の記載は明確である。
　したがって、本件特許発明２は、明確である。
　よって、異議申立人の主張は採用できない。
３　本件特許発明３−７について
　本件特許発明１又は２を、直接又は間接的に引用する本件特許発明３−７についても、同様な理由により、明確である。
４　まとめ
　以上のとおりであるから、本件特許発明１−７は、特許法第３６条６項２号に規定する要件を満たしているから、特許法第１１３条第４号により取り消すことはできない。
第５　理由２（第２９条第２項）について
１　甲第１号証−甲第１４号証の記載事項
（１）甲第１号証には、以下のように記載されている。（下線は、当審で付与したものである。以下同様。なお、翻訳は、異議申立人の翻訳によった。）
「［０００３］・・・ A laser scanner can be used to optically scan and measure objects in a volume around the laser scanner. Laser scanners collect a variety of data points representing objects in the surrounding volume. Such data points are obtained by transmitting a beam of light onto the objects in the volume and collecting the reflected or scattered light to determine, for each point, a distance, two angles (for example, an azimuth and a zenith angle), and a gray-scale value (i.e., a quantity related to the irradiance of the scattered light returned to the scanner). ・・・
［０００４］　Many contemporary laser scanners also include a camera mounted on the laser scanner for gathering camera digital images of the environment and for presenting the camera digital images to an operator of the laser scanner. By viewing the camera images, the operator of the scanner can determine the field of view of the measured volume and adjust settings on the laser scanner to measure over a larger or smaller region of space if the field of view needs adjusting. 」
（翻訳：【０００３】・・・レーザスキャナを使用して、
レーザスキャナの周囲のボリューム内のオブジェクトを光学的に走査して
オブジェクトを表す様々なデータポイントを収集する。
データポイントは、ボリューム内の
各点について、距離、２つの角度
を測定することによって得ることができる。
　【０００４】　現代の多くのレーザスキャナは、
レーザスキャナに取り付けられたカメラも含み、
カメラ画像を見ることによって、スキャナのオペレータは、測定されたボリュームの視野を決定し、
することができる。
「［００５８］　Referring to  FIG. 9 , the laser scanner  910  comprises a light emitter  912  and a light receiver  914 , which are connected to an evaluation and control unit  916 . In an embodiment, the light emitter  912  comprises a laser diode  972  that is designed to generate a laser beam  918  having a wavelength of approximately 905 nm as an emission light beam. The emission light beam  918  is emitted in order to illuminate a measuring point  917  on the surface of an object  920 . In an embodiment, the emission light beam  918  is amplitude-modulated with a rectangular-waveform modulation signal in order to determine the distance d from the illuminated object point by evaluating phase information. Any suitable modulation signal may be utilized, for example, the emission light beam  918  can be modulated with a sinusoidal modulation signal and/or the emission light beam  918  can be emitted in pulsed fashion in order to determine the distance d on the basis of a pulse propagation time method.
［００５９］　The emission light beam  918  is deflected by a minor  922  to the object  920 . The reference number  924  designates a reception light beam that is reflected from the object  920  and is deflected via the minor  922  to the receiver  914 . The minor  922  is arranged here at the angled front end face of a cylinder  926  connected to a rotary drive  930  via a shaft  928 . With the aid of the rotary drive  930 , the minor  922  can be rotated about an axis  932  of rotation. The rotation direction is indicated here by reference numeral  933 . The respective rotary position of the minor  922  can be determined with aid of an angular encoder  934 . The output signals of the encoder  934  are likewise fed to the evaluation and control unit  916  through wires not illustrated here for reasons of clarity.
［００６０］　In an embodiment, the axis  932  of rotation is arranged horizontally and the minor  922  is inclined at an angle of approximately 45° relative to the axis  932  of rotation. A rotation of the mirror  922  about the horizontal axis  932  therefore has the consequence that the emission light beam  918  is deflected along a vertical plane (that is to say in elevation). The emission light beam  918  forms, when the minor  922  is rotating, a fan with which the spatial region  936  is scanned in the vertical plane.
［００６１］　The laser scanner  910  here has a housing structure essentially having two housing parts  938 ,  940 . The housing parts  938 ,  940  are arranged on a common baseplate  942 . The emitter  912 , the receiver  914  and the evaluation and control unit  916  are accommodated in the housing part  938  illustrated on the left in  FIG. 9 . The housing part illustrated on the right in  FIG. 9  accommodates the rotary drive with the encoder  934  and the cylinder  926 , wherein the cylinder  926  with the minor  922  projects from the housing part  940 , such that the minor  922  is arranged approximately centrally between the two housing parts  938 ,  940 .
［００６２］　The baseplate  942  is arranged on a rotary drive  944  seated on a stand  946 . The stand  946  is height-adjustable and has a scaling  948  in order to be able to perform a reproducible height setting. The reference numeral  950  designates a further encoder, with the aid of which the rotational position of the rotary drive  944  can be determined. The output signals of the encoder  950  are likewise fed to the evaluation and control unit  916 .
［００６３］　The rotary drive  944  enables the laser scanner  910  to be rotated about a vertical axis  952  which together with the axis  932  of rotation defines an axial intersection point. ・・・
［００６４］　The evaluation and control unit  916  here comprises a microprocessor  954  and an FPGA (field programmable gate array)  956 . The FPGA  956  here generates the binary rectangular-waveform modulation signal with which the laser diode of the light emitter  912  is driven. The microprocessor  954  reads in digitized reception data from the light receiver  914  and determines the distance d between the laser scanner  910  and the object  920  on the basis of these data. The microprocessor  954  and the FPGA  956  communicate with one another, wherein the microprocessor  954  receives, inter alia, the phase information of the emission light beam for determining the propagation time.
［００６５］　The reception optical unit  958  of the light receiver  914  comprises at least one first lens element  960  (there can also be a plurality of first lens elements which together fulfill the function of the first lens element described below), a second lens element  962  and a pinhole diaphragm  964 . The light detector  966  is arranged behind the pinhole diaphragm  964  and detects the reception light beam  924 . As can readily be understood, the light emitter  912  shades the reception light beam  924  in a central region of the reception optical unit since the light emitter  912  here is arranged coaxially in front of the light receiver  914 . In order to illustrate this shading pictorially, the reception light beam  924  is illustrated ”doubly” and with an exaggerated width in comparison with the emission light beam  918 . The reception light beam  924  actually reaches the light detector  966  here in the form of a light ring whose inner center is shaded by the light emitter  912 .
［００６６］　As shown in  FIG. 9 , a laser collimator  972  is beside the receiving optics. Via mirror  970  and mirror  911 , laser light is transmitted to the large rotating mirror  922 . A color camera  968  is located behind minor  912  in a hole of lens  960 . Minor  912  is transparent for visible light and acts as a mirror for the 905 nm wavelength of the laser. Thus, the color camera  968  can take images of the environment of the scanner through minor  912  and minor  922 .
［００６７］・・・ In an exemplary embodiment, the graphics display  904  furthermore serves to display a distance image and/or an optical image that was recorded with the aid of the first light detector  966  and/or the camera  968 , respectively. The distance image shows the recorded spatial region  936  in the form of a black and white image or in the form of a false color representation, wherein each represented pixel represents a 3D coordinate value that can be displayed when a cursor moves to the corresponding pixel. In an embodiment, the optical image is a color image which was recorded with the aid of the camera  960  and which shows the spatial region  936 .」
（翻訳：【００５８】　図９を参照すると、
レーザスキャナ９１０は、
発光装置９１２及び受光装置９１４を備える。
発光装置９１２は、
レーザビーム９１８を生成する
オブジェクト９２０の表面上の測定点９１７を照明するために放射光ビーム９１８を放射する。
放射光ビーム９１８は、矩形波形変調信号で振幅変調され、位相情報を評価することによって被照明オブジェクトポイントからの距離ｄを測定する。
　【００５９】
放射光ビーム９１８は、ミラー９２２によってオブジェクト９２０に偏向される。
９２４は、オブジェクト９２０から反射され、ミラー９２２を介して受光装置９１４に偏向される受光ビームを示す。
回転駆動装置９３０を用いて、ミラー９２２を回転軸９３２の周りに回転させることができる。
回転位置は、角度エンコーダ９３４を用いて決定することができる。エンコーダ９３４の出力信号は、
ワイヤを介して評価及び制御ユニット９１６に同様に送られる。
　【００６０】
一実施形態では、
回転軸９３２は水平に配置され、ミラー９２２は回転軸９３２に対して約４５°の角度で傾斜している。
水平軸９３２の周りのミラー９２２の回転は、放射光ビーム９１８が垂直平面に沿って
偏向されることになる。
　【００６１】
ここで、
レーザスキャナ９１０は、
２つのハウジング部分９３８、９４０を有する
ハウジング部分９３８、９４０は、共通ベースプレート９４２上に配置される。発光装置９１２、受光装置９１４、及び評価及び制御ユニット９１６は、
ハウジング部９３８に収容されている。
右側に示すハウジング部は、エンコーダ９３４
回転駆動装置を収容し、
　【００６２】
ベースプレート９４２は、スタンド９４６に着座した回転駆動装置９４４上に配置されている。
　【００６３】
回転駆動装置９４４は、レーザスキャナ９１０が
垂直軸９５２を中心に回転することを可能にする。
　【００６４】
評価及び制御ユニット９１６は、
発光装置９１２のレーザダイオードが駆動されるバイナリ矩形波形変調信号を生成する。
受光装置９１４からデジタル化された受信データを読み込み、
レーザスキャナ９１０とオブジェクト９２０との間の距離ｄを決定する。
　【００６５】
　
受光装置９１４
は、
第１レンズ素子９６０
を備える。
受光ビーム９２４を検出する。
発光装置９１２は受光装置９１４の前に同軸上に配置されている
　【００６６】
　図９に示すように、レーザコリメータ９７２が受光光学系の横にある。ミラー９７０及び
ミラー９１１を介して、レーザ光は大回転ミラー９２２に伝達される。カラーカメラ９６８は、ミラー９１１の後ろにおいて、レンズ９６０の穴の中に配置されている。
ミラー９１１及びミラー９２２を介してスキャナの環境の画像を撮影することができる。
　【００６７】
・・・例示的な実施形態では、
グラフィックディスプレイ９０４は
カメラ９６８を用いて記録された
光学画像を
表示する機能を有する。
図９
図９より、カラーカメラ９６８の前面側にミラー９２２が設けられていること、発光装置９１２、受光装置９１４、カラーカメラ９６８及び評価及び制御ユニット９１６は、ハウジング部９３８に収容されることが見て取れる。
　上記の記載事項を総合すると、甲第１号証には、次の発明（以下、「引用発明」という。）が記載されていると認められる（括弧内は、甲第１号証の記載箇所を示す。）。
「レーザスキャナの周囲のボリューム内のオブジェクトを光学的に走査して、オブジェクトを表す様々なデータポイントを収集するレーザスキャナにおいて、
　データポイントは、ボリューム内の各点について、距離、２つの角度を測定することによって得ることができ（【０００３】）
　レーザスキャナに取り付けられたカメラを含み、カメラ画像を見ることによって、スキャナのオペレータは、測定されたボリュームの視野を決定することができ（【０００４】）、
　レーザスキャナ９１０は、発光装置９１２及び受光装置９１４を備え（【００５８】）、発光装置９１２は受光装置９１４の前に同軸上に配置されており（【００６５】）、
　発光装置９１２は、レーザビーム９１８を生成し、オブジェクト９２０の表面上の測定点９１７を照明するために放射光ビーム９１８を放射し、放射光ビーム９１８は、矩形波形変調信号で振幅変調され、位相情報を評価することによって被照明オブジェクトポイントからの距離ｄを測定し（【００５８】）、
　カラーカメラ９６８の前面側にミラー９２２が設けられ（図９）、
　放射光ビーム９１８は、ミラー９１１を介してミラー９２２に伝達され（【００６６】）、ミラー９２２によってオブジェクト９２０に偏向され、受光ビーム９２４は、オブジェクト９２０から反射され、ミラー９２２を介して受光装置９１４に偏向され（【００５９】）、
　受光装置９１４は、第１レンズ素子９６０を備え、受光ビーム９２４を検出し（【００６５】）、
　カラーカメラ９６８は、ミラー９１１の後ろにおいて、レンズ９６０の穴の中に配置され、ミラー９１１及びミラー９２２を介してスキャナの環境の画像を撮影し（【００６６】）、グラフィックディスプレイ９０４は、カメラ９６８を用いて記録された光学画像を表示する機能を有し（【００６７】）、
　回転駆動装置９３０を用いて、ミラー９２２を回転軸９３２の周りに回転させることができ、回転位置は、角度エンコーダ９３４を用いて決定することができ（【００５９】）、回転軸９３２は水平に配置され、ミラー９２２は回転軸９３２に対して約４５°の角度で傾斜し、水平軸９３２の周りのミラー９２２の回転は、放射光ビーム９１８が垂直平面に沿って偏向されることになり（【００６０】）、
　レーザスキャナ９１０は、２つのハウジング部分９３８、９４０を有し、ハウジング部分９３８、９４０は、共通ベースプレート９４２上に配置され、発光装置９１２、受光装置９１４、カラーカメラ９６８及び評価及び制御ユニット９１６は、ハウジング部９３８に収容され、ハウジング部９４０は、エンコーダ９３４と共に回転駆動装置９３０を収容し（【００６１】、図９）、ベースプレート９４２は、スタンド９４６に着座した回転駆動装置９４４上に配置されており（【００６２】）、回転駆動装置９４４は、レーザスキャナ９１０が垂直軸９５２を中心に回転することを可能にし（【００６３】）、
　評価及び制御ユニット９１６は、発光装置９１２のレーザダイオードが駆動されるバイナリ矩形波形変調信号を生成し、受光装置９１４からデジタル化された受信データを読み込み、レーザスキャナ９１０とオブジェクト９２０との間の距離ｄを決定し（【００６４】）、エンコーダ９３４の出力信号は、ワイヤを介して送られる（【００５９】）、
　レーザスキャナ。」
（２）甲第２号証には、以下のように記載されている。
「【０１２２】
  尚、第２の実施の形態では、前記回動台７７が回転することで、前記画像受光部４３に対して画像、反射測距光の受光状態も回転するが、前記画像受光部４３に対する画像、反射測距光の受光状態の回転は、前記水平角検出器２６によって検出されるので、該水平角検出器２６の検出角によって、画像データ、距離データが修正される。」
（３）甲第３号証には、以下のように記載されている。
「【００５７】
  前記追尾光４０が前記対象物５５により反射されると、反射光４０ａが前記反射ミラー２８を介して前記回転レーザ装置１に入射され、前記対物レンズ３２によって前記反射光４０ａが前記画像受光部３４上に集光される。
【００５８】
  このとき画像は前記画像受光部３４に対し、前記反射ミラー２８の回転に追従して回転した状態であるので前記ロータリエンコーダ６９の検出角度に基いて補正プログラムにより画像の回転を補正する。補正された後、画像に基づき高低角が求められる。」
（４）甲第４号証には、以下のように記載されている。
「【００４９】
詳細には、反射体検出光発光部１２１０及び、第１の撮像部１３２０、第２の撮像部１３３０は固定的に設けられているため、回動部の位置により画像は、視準中心Ｏと一致する位置を中心に回転する。
【００５０】
図３（Ｃ）に基づいて説明すると、例えば、位置検出装置１００００が置かれている位置から見て、水平方向をＸ軸、鉛直方向をＹ軸とする。このとき、Ｙ方向に一定角度ずれた位置にターゲット２０００ａの反射体２０００ｂがある場合、▲１▼から▲４▼の様に、位置検出装置１００００に対して置かれる位置によって、第１の撮像部１３２０、第２の撮像部１３３０上での位置は図３（Ｃ）の様に変わる。従って、第１の撮像部１３２０、第２の撮像部１３３０からの偏差を検出して、視準中心Ｏを反射体２０００ｂの中心へ移動させる場合、また、ターゲット２０００ａの反射体２０００ｂの水平、鉛直方向の偏差角度を求める場合、画像センサ４００００上の座標を、本体２０００を回転させる水平及び鉛直の座標に変換する必要がある。その式は、座標の回転で表され、第１式で表される。これらの変換処理は、演算処理部４０００にて行われる。」
（５）甲第５号証には、以下のように記載されている。
「【００２４】図３に示すように、それぞれの画像情報１〜画像情報１５は初期位置に対して、回転角度θｘ＝２２．５×ｘ（ｘ＝１，２，…，１５）だけ回転していることになる。
【００２５】図４は、画像処理用コントローラにおいて、画像情報０〜画像情報１５の１６枚の画像情報から全周パノラマ画像情報を構成するアルゴリズムの流れを説明する図である。
【００２６】次に、図４（ａ）に示すように、それぞれの画像情報１〜画像情報１５を回転角θｘ（ｘ＝１，２，…，１５）分だけ、画像中心を軸として回転変換させる（ステップ１０５）。また、図４（ｂ）に示すように、当該回転変換後のそれぞれの画像情報０〜画像情報１５を鏡像反転させる（ステップ１０６）。最後に、図４（ｃ）に示すように、それぞれの画像情報０〜画像情報１５の境界領域で、それぞれの画像情報同士を平行移動させながら、パターンマッチングを行い、それぞれの画像情報の繋ぎ合わせを行う（ステップ１０７）。」
（６）甲第６号証には、以下のように記載されている。
「【００５７】ミラー回転型カメラで取得されたカメラ原画像は、従来技術の説明において図１９に示したように上下方向（図中の矢印方向）が回転したものとなる。そこで、カメラ画像生成手段２２１は、画像取得手段２２０で取得されたカメラ原画像を回転変換処理して上下方向が補正されたカメラ画像を生成する。回転変換処理のパラメータは、ミラー回転制御手段２１１から送られてくるミラー角度情報に基づいて決定される。」
（７）甲第７号証には、以下のように記載されている。
「【００１４】このような構成において、回転台１１に取り付けられたカメラヘッド部１２が回転することにより、撮影窓２７の外部に存在する被写体の像がその撮影窓２７を経て取り込まれ、反射鏡２３の反射面２４で反射されてレンズ系２２に至り、このレンズ系２２で被写体像は、スリット２１を経て２次元撮像素子１７に結像される。いま、カメラヘッド部１２が初期位置にあるときの被写体をＡとし、角度θだけ回転した時の被写体をＢとすると、初期位置にあっては、２次元撮像素子１７に結像される像は、図３に示すように、図示状態では上下方向に結像されており、カメラヘッド部１２が角度θだけ回動した時には、図３においては角度θだけ傾いた状態に結像している。そのため、２次元撮像素子１７から出力される画像データをそのまま表示装置で観察すると、カメラヘッド部１２の回転に合わせて像がθ度だけ傾いた見にくいものになってしまう。そこで、画像処理により表示時に回転補正して常に正立するように補正する。これは、２次元撮像素子１７の各画素からの出力データのアドレスを座標変換することにより実現できる。・・・」
（８）甲第８号証には、以下のように記載されている。
「【００２６】前記回転式測距機２は、図３に詳細を示すように、レーザーダイオード７から発振されたパルス光を水平方向に延びる回転軸線βの周りに周回させながら、放射状に投光するものである。すなわち、パルス光は前記レーザーダイオード７から回転軸線βに沿って出力された後、その光路が反射鏡８により直角方向に変更されて、対物レンズ９によって所定の拡がり角になるように絞られながら該対物レンズ９の光軸に沿って投光される。また、前記反射鏡８は、図示しない直流電動モータからなる駆動モータにより回転軸線βの周りに略一定速度（例えば６００ｒｐｍ）で回転されるようになっており、これにより、パルス光の投光方向が回転軸線βの周りを周回するように変化する。そして、前記反射鏡８の回転角度がロータリエンコーダ１０により例えば０．２５度刻みで検出される。尚、前記反射鏡８及び駆動モータにより、パルス光の投光方向を回転軸線βの周りを周回するように変化させる投光方向可変手段が構成され、また、前記ロータリエンコーダ１０により、パルス光の投光方向の回転変位量を検出する回転変位検出手段が構成されている。」
（９）甲第９号証には、以下のように記載されている。
「【００２２】
【発明の実施の形態】（第１実施形態）図１には、本発明の第１実施形態である撮像ユニットの概略構成を示している。この図において、１は視野変更操作が可能な撮像系であり、図中の平面ミラー（反射部材）３とこの平面ミラー３よりも物体側の光学系構成部分（以下、これらの部分を回転部分という）が、平面ミラー３よりも像面側の光学系構成部分の光軸を中心として回転させることにより、撮像素子（撮像媒体）２による撮像範囲（視野）を変更することができるようになっている。」
（１０）甲第１０号証には、以下のように記載されている。
「【００３４】
  撮像手段１１は、光学系の望遠レンズ機構およびＣＣＤカメラ、ＣＭＯＳカメラ等の撮像素子を用いることで、構造物全体を広く見渡せることができる。また、光学系のズーム機能のほかに、電子式ズーム機能も備えていてもよい。図６に示すように、撮像手段１１は、装置本体１０の上部に水平に固定される。よって、測量手段１４の光軸方向と平行に調整されて固定される。また、撮像手段１１は、静止画および／または動画を撮像する構成である。
【００３５】
  角度調節機構１２は、撮像手段１１の光軸方向を水平軸周りに回転する回転機構と、鉛直軸周りに回転する回転機構を有して構成できる。角度調節機構１２は、後述する遠隔操作手段２２の遠隔操作命令に応じて機能させることができる。また、上下回転用のツマミ６ａ、左右回転用のツマミツマミ６ｂを回転することで、手動で各種回転機構を回転させることができる。」
（１１）甲第１１号証には、以下のように記載されている。
「【００１７】
  
トータルステーション１００は、
望遠光学系３９を有する望遠鏡１１１が設けられる。ユーザは望遠光学系３９を用いて測量対象物３３に対して測量目標点３４を視準する。
「【００２７】
  ステップＳ２６とＳ２７では、ユーザはカメラ表示装置１２３に表示された画像を見て望遠鏡１１１を水平又は鉛直方向に回転させ測量対象物３３の方向に向ける。
【００２８】
  画像には方向誤差を修正したショットマークが表示されているため、ユーザは望遠鏡１１１を測量対象物３３の概略方向に向けることが出来、ステップＳ２８において望遠鏡１１１の概略方向が決定される。
【００２９】
  次に、
ユーザは
望遠鏡１１１を用いて測量目標点３４を測量対象物３３に視準する。これにより測量の準備が整えられ、
測量が実行される。
「【００４７】
  撮像された画像はカメラ表示装置１２３の表示領域よりも大きい。そのため、表示領域には、撮像された画像の一部のみが表示される。ユーザがカメラ表示装置１２３を参考にして望遠鏡を測量対象物３３へ向けるとき、ショットマーク４３がカメラ表示装置１２３の表示領域の中心にあると、ユーザは望遠鏡を測量対象物３３へ向けやすくなる。そこで、カメラ表示装置１２３に表示される画像は、水平方向にｄＨＬｐ＋ｄＨＡｐ分、及び鉛直方向にｄＶＬｐ＋ｄＶＡｐ分、自動的に動かされる。これにより、ショットマーク４３の位置はカメラ表示装置１２３の表示領域の中心と一致し、ユーザは容易に望遠鏡を測量対象物３３の方向へ向けることが可能となる。」
　上記段落【００１７】及び【００２９】の記載より、甲第１１号証には、次の技術が記載されている。
「トータルステーション１００において、ユーザが、望遠鏡１１１を用いて、測量目標点３４を測量対象物３３に視準することにより測量の準備を整え、測量を実行する技術。」
（１２）甲第１２号証には、以下のように記載されている。
「【００３６】通常の状態では前記リファレンス板４２は前記追尾光軸３０より外れている。前記対物レンズ５より入光した前記追尾反射光は、前記光軸Ｏと交差する方向にペンタ型プリズム２１の第１ダイクロイックミラー面２４、第２ダイクロイックミラー面２５で反射され、前記孔明ミラー３３で反射された後、前記リレーレンズ３８により、前記受光素子４０に集光される。前記バンドパスフィルタ３９は追尾反射光以外の外乱光を遮断し、前記受光素子４０での追尾反射光の検出精度を向上する。正確に視準されていると、前記受光素子４０に投影された追尾反射光は前記受光素子４０の中心、又は基準位置と合致している。視準がずれていると、該受光素子４０の受光位置は基準位置よりずれている。前述したと同様該受光素子４０で受光された結果に基づき、測量機の視準中心に目標対象物が位置する様自動測量機の姿勢が自動調整される。」
「【００４２】前記受光素子４０で検出された光軸のずれは、図示しない測量機の制御部に入力記憶され、以後の目標対象物からの反射光の位置が補正されることになる。補正により、目標対象物は視準中心となることができる。」
（１３）甲第１３号証には、以下のように記載されている。
「【００１９】光軸補正データ記憶回路１８１は、光軸調整時に、光軸ずれ測定装置３０からの補正量データを各ジンバル機構部１１のＥＬ及びＡＺ方向への傾き角度に対応付けて記憶する。光軸補正制御機能は、図２に示すように、運用時に、ジンバル機構部１１が回動する毎に光軸補正データ記憶回路１８１からジンバル機構部１１のＥＬ及びＡＺ方向への傾き角度に対応する補正量データを読み出して、この補正量データを制御信号として照射用レーザ出射光鏡１５に供給する。
【００２０】照射用レーザ出射光鏡１５は、光軸調整制御回路１８からの補正量データに従って、レーザ光導光路１４の光軸を補正量の分だけずらす。」
（１４）甲第１４号証には、以下のように記載されている。
「【００５３】
以上のように本実施形態は、求心望遠鏡１００を備えたトータルステーション２０において、測距用光波のみを通すコーティングを施した光学部材１０６が設けられるとともに、光波穴４２が形成されている。したがって求心望遠鏡１００を介して鉛直下方の目標物（基点）を観察することができ、求心作業を行なうことができる。求心作業の後、上記各実施形態と同様に、望遠鏡２２を下方に向け、光学部材１０６を透過する光を利用して測距作業が行なわれ、機械高が検出される。すなわち、望遠鏡２２から出射された測距用光波は鉛直軸Ｊに沿って光学部材１０６を通り、中心Ｏから下方の目標物（基点）までの距離が測定される。・・・」
２　対比・判断
（１）本件特許発明１について
ア　対比
（ア）引用発明は、「レーザスキャナの周囲のボリューム内のオブジェクトを光学的に走査」するものであるから、「レーザスキャナ」を測定基準点に設置して、「周囲のボリューム内のオブジェクトを光学的に走査」しているといえるので、引用発明の「レーザスキャナ」は、本件特許発明１の「測定基準点に設置した測定装置」に相当する。
　また、引用発明の「オブジェクト」は、本件特許発明１の「測定対象物」に相当し、引用発明において「カメラ画像で見る」ものは、「オブジェクト」であるから、引用発明の「スキャナのオペレータは、」「カメラ画像を見ること」は、本件特許発明１の「測定対象物の映像を操作者が視認」することに相当する。
　そして、引用発明の「スキャナのオペレータ」が決定する「測定されたボリュームの視野」は、「カメラ画像」で見た測定範囲であり、引用発明は「スキャナのオペレータ」が、「カメラ画像」で見た測定範囲である「ボリューム内」の「オブジェクト」「各点について、距離、２つの角度を測定」しているといえるので、
　引用発明の「レーザスキャナに取り付けられたカメラを含み、カメラ画像を見ることによって、スキャナのオペレータは、測定されたボリュームの視野を決定することができ」「ボリューム内の各点について、距離、２つの角度を測定することによって得ることができ」ることと、本件特許発明１の「測定対象物の映像を操作者が視認し、測定目標点を選定し、その方向と距離とを測定する」ことは、「測定対象物の映像を操作者が視認し、視認した範囲の測定対象物について、その方向と距離とを測定する」点で共通する。
　よって、引用発明の「レーザスキャナの周囲のボリューム内のオブジェクトを光学的に走査して、オブジェクトを表す様々なデータポイントを収集するレーザスキャナ」と、本件特許発明１の「測定基準点に設置した測定装置によって、測定対象物の映像を操作者が視認し、測定目標点を選定し、その方向と距離とを測定する自動測定装置」とは、「測定基準点に設置した測定装置によって、測定対象物の映像を操作者が視認し、視認した範囲の測定対象物について、その方向と距離とを測定する自動測定装置」である点で共通する。
（イ）引用発明は、「カラーカメラ９６８」で「画像を撮影し」、「グラフィックディスプレイ９０４」に「カメラ９６８を用いて記録された光学画像を表示する」ものであるから、引用発明の「カラーカメラ９６８」は、画像センサで撮像するデジタルカメラである。そして、カメラは、対物レンズを備えるものであるから、引用発明の「カラーカメラ９６８」は、対物レンズによる画像センサ上への結像で得たものを撮像している。
　また、引用発明の「カラーカメラ９６８」で撮影する、「スキャナの環境の画像」は「ボリューム内のオブジェクト」を撮影したものであり、本件特許発明１の「測定対象物の映像」に相当するものである。
　よって、引用発明の「カラーカメラ９６８は、」「スキャナの環境の画像を撮影し、グラフィックディスプレイ９０４は、カメラ９６８を用いて記録された光学画像を表示する」ことは、本件特許発明１の「測定対象物の映像は対物レンズによる画像センサ上への結像で得たものをディスプレイ上に表示すること」に相当する。
（ウ）引用発明の「レーザスキャナ９１０は、発光装置９１２及び受光装置９１４を備え、」「発光装置９１２は、レーザビーム９１８を生成し、オブジェクト９２０の表面上の測定点９１７を照明するために放射光ビーム９１８を放射し、放射光ビーム９１８は、矩形波形変調信号で振幅変調され、位相情報を評価することによって被照明オブジェクトポイントからの距離ｄを測定し、」「放射光ビーム９１８は、ミラー９１１を介してミラー９２２に伝達され、ミラー９２２によってオブジェクト９２０に偏向され、受光ビーム９２４は、オブジェクト９２０から反射され、ミラー９２２を介して受光装置９１４に偏向され、受光装置９１４は、第１レンズ素子９６０を備え、受光ビーム９２４を検出し」ているので、引用発明の「発光装置９１２及び受光装置９１４」は、本件特許発明１の「距離測定機構」である「レーザ光線の発・受光機構」に相当する。
　そして、引用発明は「カラーカメラ９６８は、ミラー９１１の後ろにおいて、レンズ９６０の穴の中に配置され、ミラー９１１及びミラー９２２を介してスキャナの環境の画像を撮影」するものであり、「発光装置９１２は、」「放射光ビーム９１８を放射し、」「放射光ビーム９１８は、ミラー９１１を介してミラー９２２に伝達され、ミラー９２２によってオブジェクト９２０に偏向され、受光ビーム９２４は、オブジェクト９２０から反射され、ミラー９２２を介して受光装置９１４に偏向され、受光装置９１４は、第１レンズ素子９６０を備え、受光ビーム９２４を検出し、」「発光装置９１２は受光装置９１４の前に同軸上に配置されて」いるので、
　「カラーカメラ９６８」の光軸は、「レンズ９６０の穴」、「ミラー９１１」及び「ミラー９２２」に沿うものであり、「発光装置９１２及び受光装置９１４」の光軸は、「第１レンズ素子９６０」、「ミラー９１１」及び「ミラー９２２」に沿うものであり、引用発明の「発光装置９１２及び受光装置９１４」は、「カラーカメラ９６８」の対物レンズの光軸に沿って設けられているといえる。
　よって、引用発明の「レーザスキャナ９１０は、発光装置９１２及び受光装置９１４を備え、」「発光装置９１２は、」「放射光ビーム９１８を放射し、」「受光装置９１４は、」「受光ビーム９２４を検出し、」「被照明オブジェクトポイントからの距離ｄを測定し」ていることは、本件特許発明１の「距離測定機構は対物レンズの光軸に沿って設けたレーザ光線の発・受光機構によること」に相当する。
（エ）上記（イ）及び（ウ）を踏まえると、引用発明の「カラーカメラ９６８は、」「スキャナの環境の画像を撮影し、グラフィックディスプレイ９０４は、カメラ９６８を用いて記録された光学画像を表示する」ことと、「発光装置９１２及び受光装置９１４を備え、」「距離ｄを測定し」ていることは、本件特許発明１の「測定対象物の映像は対物レンズによる画像センサ上への結像で得たものをディスプレイ上に表示すること、距離測定機構は対物レンズの光軸に沿って設けたレーザ光線の発・受光機構によること、の２系統以上の光学系を有」することに相当する。
（オ）引用発明は、「カラーカメラ９６８の前面側にミラー９２２が設けられ」ているので、「カラーカメラ９６８」の対物レンズの「前面側にミラー９２２が設けられ」ているといえる。
　そして、引用発明の「回転軸９３２に対して約４５°の角度で傾斜し、水平軸９３２の周りの」「回転は、放射光ビーム９１８」を「垂直平面に沿って偏向」する「ミラー９２２」は、本件特許発明１の「光軸折り曲げ用４５度反射鏡を有する回転ミラー部」に相当する。
　また、上記（ウ）によると、引用発明の「発光装置９１２及び受光装置９１４」の光軸と「カラーカメラ９６８」の対物レンズの光軸は、「ミラー９１１」及び「ミラー９２２」に沿って設けられており、「水平軸９３２の周りのミラー９２２の回転は、放射光ビーム９１８が垂直平面に沿って偏向される」ので、「ミラー９２２の回転は」、「発光装置９１２及び受光装置９１４」の光軸と「カラーカメラ９６８」の対物レンズの光軸を「垂直平面に沿って偏向」しているといえる。
　よって、引用発明の「カラーカメラ９６８の前面側にミラー９２２が設けられ」ている「レーザスキャナ」と、本件特許発明１の「対物レンズの前面側に光軸折り曲げ用４５度反射鏡を有する回転ミラー部を設けること、これにより両光軸を鉛直面内に回転可能とすること、」「の各条件を満たす測定装置」とは、「対物レンズの前面側に光軸折り曲げ用４５度反射鏡を有する回転ミラー部を設けること、これにより両光軸を鉛直面内に回転可能とすること、」「の条件を満たす測定装置」である点で共通する。
（カ）
ａ　引用発明の「レーザスキャナ９１０」を「垂直軸９５２を中心に回転することを可能にし」た「スタンド９４６に着座した回転駆動装置９４４上に配置され」た「共通ベースプレート９４２上に」、「発光装置９１２、受光装置９１４、カラーカメラ９６８」を配置することは、本件特許発明１の「回転ミラー部以外の光学系を水平回転ベースに固定的に設置すること」に相当する。
ｂ　引用発明の「発光装置９１２、受光装置９１４、カラーカメラ９６８」及び「回転駆動装置９３０」は、本件特許発明１の「レーザ光線の発・受光機構を含む複数の光学系操作機構」に相当する。
ｃ　引用発明の「発光装置９１２のレーザダイオードが駆動されるバイナリ矩形波形変調信号を生成し、受光装置９１４からデジタル化された受信データを読み込み、レーザスキャナ９１０とオブジェクト９２０との間の距離ｄを決定し、エンコーダ９３４の出力信号は、ワイヤを介して送られる」「評価及び制御ユニット９１６」は、本件特許発明１の「制御・処理用の電気・電子回路」に相当する。
ｄ　引用発明は「発光装置９１２、受光装置９１４、カラーカメラ９６８」、「回転駆動装置９３０」及び「評価及び制御ユニット９１６」を、「共通ベースプレート９４２上」に配置しているので、「発光装置９１２、受光装置９１４、カラーカメラ９６８」及び「回転駆動装置９３０」とその「評価及び制御ユニット９１６」との接続は固定的に構成可能である。
　よって、上記ａからｄを踏まえると、引用発明の「共通ベースプレート９４２上に」「発光装置９１２、受光装置９１４、カラーカメラ９６８」を配置することは、本件特許発明１の「回転ミラー部以外の光学系を水平回転ベースに固定的に設置することにより、レーザ光線の発・受光機構を含む複数の光学系操作機構とその制御・処理用の電気・電子回路との接続を固定的に構成可能とすること」に相当する。
（キ）上記（エ）で検討したように、引用発明の「カラーカメラ９６８は、」「スキャナの環境の画像を撮影し、グラフィックディスプレイ９０４は、カメラ９６８を用いて記録された光学画像を表示する」ことと、「発光装置９１２及び受光装置９１４を備え、」「距離ｄを測定し」ていることは、本件特許発明１の「２系統以上の光学系を有」することに相当するのであるから、引用発明の「レーザスキャナ」は、本件特許発明１の「２系統光学系を有する距離方向自動測定装置」に相当する。
　したがって、本件特許発明１と引用発明とは、次の一致点、相違点を有する。
（一致点）
「測定基準点に設置した測定装置によって、測定対象物の映像を操作者が視認し、視認した範囲の測定対象物について、その方向と距離とを測定する自動測定装置において、
測定対象物の映像は対物レンズによる画像センサ上への結像で得たものをディスプレイ上に表示すること、
距離測定機構は対物レンズの光軸に沿って設けたレーザ光線の発・受光機構によること、の２系統以上の光学系を有し、
対物レンズの前面側に光軸折り曲げ用４５度反射鏡を有する回転ミラー部を設けること、これにより両光軸を鉛直面内に回転可能とすること、
の条件を満たす測定装置であって、
回転ミラー部以外の光学系を水平回転ベースに固定的に設置することにより、レーザ光線の発・受光機構を含む複数の光学系操作機構とその制御・処理用の電気・電子回路との接続を固定的に構成可能とすることを特徴とする２系統光学系を有する距離方向自動測定装置。」
（相違点１）
　本件特許発明１は、測定対象物の映像を操作者が視認し、「測定目標点を選定し」、その方向と距離とを測定するのに対して、引用発明は、カメラ画像を見ることによって、スキャナのオペレータは、測定されたボリュームの視野を決定し、ボリューム内の各点について、距離、２つの角度を測定するが、オペレータが、距離、２つの角度を測定する「ボリューム内」の「オブジェクト」の「点」を選定することは、特定されてない点。
（相違点２）
　本件特許発明１は、両光軸を回転可能として、「この回転による画像センサ上に結像する測定対象物の映像の回転を、当該映像を表示するディスプレイ機構上では当該回転分を逆回転して表示する正立表示ソフトを有すること、の」「条件を満たす測定装置」であるのに対して、引用発明は、カラーカメラ９６８が、スキャナの環境の画像を撮影する際に、介するミラー９２２を回転軸９３２の周りに回転させるが、そのような特定がない点。
　
イ　判断
　上記相違点１について検討する。
　甲第１１号証には，トータルステーション１００において、ユーザが、望遠鏡１１１を用いて、測量目標点３４を測量対象物３３に視準することにより測量の準備を整え、測量を実行する技術が記載されている（上記「１　（１１）」）。
　しかしながら、甲第１１号証に記載された技術は、トータルステーション１００を用いた測量に関するもので、ユーザが、望遠鏡１１１を用いて、測量目標点３４を測量対象物３３に視準するものであり、
　引用発明の「スキャナのオペレータ」が「カメラ画像を見ることによって」「測定されたボリュームの視野を決定」し、「ボリューム内の各点について、距離、２つの角度を測定する」、「周囲のボリューム内のオブジェクトを光学的に走査して、オブジェクトを表す様々なデータポイントを収集するレーザスキャナ」に、上記技術を適用する理由を見つけることはできない。
　そして、甲第２−１０、１２−１４号証には、測定対象物の映像を操作者が視認し、測定目標点を選定し、その方向と距離とを測定することは記載されていないことから、上記相違点１に係る本件特許発明１の構成は、当業者が容易になし得たこととはいえない。
　よって、本件特許発明１は、上記相違点２について検討するまでもなく、引用発明、甲第２号証−甲第１４号証に記載された技術に基づいて、当業者が容易になし得たものとすることができない。
（２）本件特許発明２について
ア　対比
　本件特許発明２は、本件特許発明１の「対物レンズの前面側に」「反射鏡」「を有する回転ミラー部を設けること」を、「対物レンズと」「その背面側に配置した」「反射鏡と」「を有する回転ミラー部を設けること」にしたものである。
　したがって、本件特許発明２と引用発明を対比すると、次の相違点を有する。
（相違点１’）
　本件特許発明２は、測定対象物の映像を操作者が視認し、「測定目標点を選定し」、その方向と距離とを測定するのに対して、引用発明は、カメラ画像を見ることによって、スキャナのオペレータは、測定されたボリュームの視野を決定し、ボリューム内の各点について、距離、２つの角度を測定するが、オペレータが、距離、２つの角度を測定する「ボリューム内」の「オブジェクト」の「点」を選定することは、特定されてない点。
（相違点２’）
　本件特許発明２は、両光軸を回転可能として、「この回転による対物レンズが画像センサ上に結像する測定対象物の映像の回転を、当該映像を表示するディスプレイ機構上では当該回転分を逆回転して表示する正立表示ソフトを有すること、の」「条件を満たす測定装置」であるのに対して、引用発明は、カラーカメラ９６８が、スキャナの環境の画像を撮影する際に、介するミラー９２２を回転軸９３２の周りに回転させるが、そのような特定がない点。
（相違点３’）
　本件特許発明２は、「対物レンズと」「その背面側に配置した」「反射鏡と」「を有する回転ミラー部を設け」たのに対し、引用発明は、「（対物レンズを有する）カラーカメラ９６８の前面側にミラー９２２が設けられ」ている点。
イ　判断
　上記相違点１’について検討する。
　上記相違点１’は上記相違点１と同じであり、上記「（１）　イ」に記載したように、上記相違点１’に係る本件特許発明２の構成は、当業者が容易になし得たこととはいえない。
　よって、本件特許発明２は、上記相違点２’及び３’について検討するまでもなく、引用発明、甲第２号証−甲第１４号証に記載された技術に基づいて、当業者が容易になし得たものとすることができない。
（３）本件特許発明３−７について
　本件特許発明１又は２を、直接又は間接的に引用する本件特許発明３−７は、本件特許発明１又は２をさらに減縮したものであるから、上記本件特許発明１又は２についての判断と同様の理由により、引用発明、甲第２号証−甲第１４号証に記載された技術に基づいて、当業者が容易になし得たものとすることができない。
３　まとめ
　以上のとおりであるから、本件特許発明１−７は、いずれも、特許法第２９条第２項の規定に違反してなされたものであるということができず、同法第１１３条第２号により取り消すことができない。
第６　むすび
　したがって、特許異議の申立ての理由及び証拠によっては、請求項１ないし７に係る特許を取り消すことはできない。
　また、他に請求項１ないし７に係る特許を取り消すべき理由を発見しない。
　よって、結論のとおり決定する。
【異議決定日】
平成３０年６月２６日（２０１８．６．２６）